【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
第一屈折率を有している第一材料を備えている第一層と、
前記第一材料と異なり前記第一屈折率と異なる第二屈折率を有している第二材料を備えている第二層とを備えている合成レンズ製品であって、
前記第一層は前記第二層の一部と少なくとも光学的連絡にあり、前記第一層と前記第二層が、前記合成レンズ製品から少なくとも部分的に形成された完成レンズの光学パワーを与えるように構成されている合成レンズ製品。
【請求項２】
前記第一屈折率が前記第二屈折率よりも小さい請求項１のレンズ製品。
【請求項３】
前記第一屈折率がほぼ１．５０ないし１．５３の範囲内にあり、前記第二屈折率がほぼ１．６０ないし１．６７の範囲内にある請求項２のレンズ製品。
【請求項４】
前記第一屈折率がほぼ１．５３であり、前記第二屈折率がほぼ１．６７である請求項１のレンズ製品。
【請求項５】
前記レンズ製品がレンズ・ブランクであり、
前記第一層がほぼ１〜１．５ｍｍの第一厚さを備えており、
前記第二層が前記第一厚さよりも大きい第二厚さを備えている請求項１のレンズ製品。
【請求項６】
前記第二層がほぼ３〜４ｍｍの厚さを有している請求項５のレンズ製品。
【請求項７】
前記レンズ・ブランクが少なくとも部分的完成レンズ・ブランクである請求項５のレンズ製品。
【請求項８】
前記レンズ製品がレンズ・ブランクの少なくとも一部であり、
前記第一層がほぼ１〜１．５ｍｍの第一厚さを備えており、
前記第二層が前記第一厚さよりも小さい第二厚さを備えている請求項１のレンズ製品。
【請求項９】
前記第二層がほぼ．５ｍｍの厚さを有している請求項８のレンズ製品。
【請求項１０】
前記レンズ・ブランクが少なくとも部分的完成レンズ・ブランクである請求項８のレンズ製品。
【請求項１１】
前記第一層が前部層であり、前記第二層が後部層である請求項１のレンズ製品。
【手続補正２】
【補正対象書類名】明細書
【補正対象項目名】０１５１
【補正方法】変更
【補正の内容】
【０１５１】
従来の最新のＰＡＬｓを超える発明多焦点レンズの優位性をより明瞭に示すために、本発明の実施形態が二つの最新のＰＡＬｓと比較された。レンズの測定値は、ビジオニクス（Visionix）によって商標登録されたビジオニクスＶＭ−２５００（Visionix VM-2500）（登録商標）レンズ・マッパーから取られた。最新のＰＡＬｓの一つは、ほぼ＋２．００Ｄ追加パワーを有しているバリラックス（Varilux）によって商標登録されたバリラックス・フィジオ（Varilux Physio）（登録商標）レンズである。他の最新のＰＡＬは、バリラックス（Varilux）によって商標登録されたバリラックス・エリプス（Varilux Ellipse）（登録商標）レンズであり、短いチャンネル設計とほぼ＋２．００Ｄ追加パワーを有する。表２に見られ得るように、フィジオレンズは、１．６８Ｄの最大の不所望な非点収差、１０．５ｍｍのチャンネル幅、および１７．０ｍｍのチャンネル長を有する。エリプスレンズは、２．００Ｄの最大の不所望な非点収差、８．５ｍｍのチャンネル幅、および１３．５ｍｍのチャンネル長を有する。発明レンズもほぼ＋２．００の追加累乗を有する。しかしながら、それに比べて、発明はより少なく、１．００Ｄ未満の最大の不所望な非点収差を有する。最大の不所望な非点収差が１．００Ｄ未満であるので、チャンネル幅はすべての意図および目的についてレンズ自体と同じくらい広い。結局、チャンネル長は１４．５ｍｍである。ビジオニクスＶＭ−２５００（Visionix VM-2500）（登録商標）レンズ・マッパーもロトレックス・クラス・プラス（Rotlex Class Plus）（登録商標）レンズ・マッパーも、発明レンズの不連続部に不所望な非点収差をその小さい幅のために発見し得なかったこともまた注目されるべきである。
【表２】
2010522903.tif 000001
以下に、本願出願の当初の特許請求の範囲に記載された発明を付記する。
［１］遠距離ゾーンを有している眼用レンズであって、
第一増分追加光学パワーを提供するための回折光学パワー領域と、
前記遠距離ゾーンと前記回折光学パワー領域との間に配置された不連続部と、
第二増進追加パワーを提供するための累進光学パワー領域とを備え、前記回折光学パワー領域の少なくとも一部と累進光学パワー領域は、第一増分追加光学パワーと第二増分追加光学パワーが一緒にユーザーのための近距離追加光学パワーを提供するような光学的連絡にある眼用レンズ。
［２］前記眼用レンズの前記中距離ゾーンに視力の鉛直安定性を提供するための前記累進光学パワー領域の一部に配置された光学パワーの平坦域をさらに備えている［１］の眼用レンズ。
［３］前記光学パワーの平坦域はほぼ１ミリメートルないしほぼ３ミリメートル以上の鉛直長さを有する［２］の眼用レンズ。
［４］前記光学パワーの平坦域はほぼ２ミリメートルないしほぼ６ミリメートル以上の鉛直長さを有する［２］の眼用レンズ。
［５］前記不連続部の少なくとも一部を横切って光学パワーを混合するための混合ゾーンをさらに備えている［１］の眼用レンズ。
［６］前記混合ゾーンの少なくとも一部はほぼ２．０ミリメートル以下の幅を有する［５］の眼用レンズ。
［７］前記眼用レンズは中間距離ゾーンを有し、前記中間距離ゾーンは、前記近距離追加パワーのほぼ４５％とほぼ５５％の間にある追加パワーを有する［１］の眼用レンズ。
［８］前記レンズはフィッティング・ポイントを有し、前記回折光学パワー領域のトップ・エッジは前記フィッティング・ポイントの下方ほぼ３ミリメートルとほぼ４ミリメートルの間に配置され、前記累進光学パワー領域は前記回折光学パワー領域のトップ・エッジからほぼ４ミリメートルとほぼ８ミリメートルの間から始まる［１］の眼用レンズ。
［９］前記不連続部は、光学パワーのステップによって引き起こされる［１］の眼用レンズ。
［１０］前記光学パワーのステップは、少なくともほぼ＋０．１２Ｄの光学パワーのステップ増である［９］の眼用レンズ。
［１１］前記回折光学パワー領域は、前記レンズの表面に配置されるか、前記レンズ内に埋め込まれる［１］の眼用レンズ。
［１２］前記累進光学パワー領域は、前記レンズの表面に配置されるか、前記レンズ内に埋め込まれる［１］の眼用レンズ。
［１３］前記累進光学パワー領域は累進光学パワー表面を備えており、前記累進光学パワー表面はフリー形成、モールド成形または表面鋳造のいずれかによって生成される［１］の眼用レンズ。
［１４］前記回折光学パワー領域は、前記レンズの表面をフリー形成するか、前記レンズの表面をモールド成形するか、前記レンズ内に表面を埋め込むかのいずれかによって生成される［１］の眼用レンズ。
［１５］前記レンズは上部遠中距離ゾーンを有し、前記上部遠中距離ゾーンは、前記近距離追加パワーのほぼ２０％とほぼ４４％の間にある追加パワーを有する［１］の眼用レンズ。
［１６］前記レンズはフィッティング・ポイントを有し、前記回折光学パワー領域のトップ・エッジは前記フィッティング・ポイントの下方ほぼ２ミリメートルとほぼ５ミリメートルの間に配置され、前記累進光学パワー領域は前記回折光学パワー領域のトップ・エッジからほぼ４ミリメートルとほぼ８ミリメートルの間から始まる［１］の眼用レンズ。
［１７］前記レンズは近距離ゾーンを有し、前記累進光学パワー領域によって与えられる光学パワーは、下部近中距離ゾーンを提供するために前記近距離ゾーンの後に減少する［１］の眼用レンズ。
［１８］第一屈折率を有している第一層を備えており、前記第一層は第一湾曲と第二湾曲を有し、前記第二湾曲は単一光学パワーを提供し、さらに、
前記第一屈折率と異なる第二屈折率を有している第二層を備えており、前記第二層は第一湾曲と第二湾曲を有し、前記第二層の前記第二湾曲は、近距離視野を矯正するための複合光学パワーを提供するために、光学パワーの累進を提供するとともに前記第一層の前記第二湾曲と光学的連絡にあるレンズ。
［１９］前記単一光学パワーは球状光学パワーである［１８］のレンズ。
［２０］前記第二層の前記第二湾曲はレンズの外側表面に形成される［１８］のレンズ。
［２１］前記第一層の前記第二湾曲は、前記レンズのフィッティング・ポイントの下方４ミリメートルにある［１８］のレンズ。
［２２］前記レンズの前記光学パワーの不連続部が前記第一層の前記第一および第二湾曲の間にある［１８］のレンズ。
［２３］レンズであって、
第一屈折率を有している第一層を備えており、前記第一層は遠距離ゾーンと第一光学素子を備え、さらに
前記第一屈折率と異なる第二屈折率を有している第二層を備えており、前記第二層は遠距離ゾーンと第二光学素子を備え、
前記第一光学素子は実質的球状光学パワー領域を備え、前記実質的球状光学パワー領域は前記レンズの総近距離追加パワーの第一部分を与え、
前記第一光学素子と前記第一層の前記遠距離ゾーンとの間の光学パワーのステップ増のために前記第一光学素子と前記第一層の前記遠距離ゾーンの境界に不連続部が生じ、
前記第一光学素子は前記レンズのフィッティング・ポイントの下方４ミリメートルに配置され、
前記第二光学素子は累進光学パワー領域を備え、前記累進光学パワー領域は前記レンズの前記総近距離追加パワーの第二部分を与え、
前記第一および第二光学素子は、前記レンズの前記総近距離追加パワーの前記第一部分と前記レンズの前記総近距離追加パワーの前記第二部分とが組み合わされて前記レンズの前記総近距離追加パワーを提供するような光学的連絡にあるレンズ。
［２４］前記第一および第二光学素子は、遠中距離ゾーンと中距離ゾーンを形成するように整列される［２３］のレンズ。
［２５］前記遠中距離ゾーンは、前記レンズの前記総近距離追加パワーのほぼ２０％とほぼ４４％の間の追加パワーを有し、前記中距離ゾーンは、前記レンズの前記総近距離追加パワーのほぼ４５％とほぼ５５％の間の追加パワーを有する［２４］のレンズ。